(57)【要約】【課題】画像データと音声データとを効果的に連携させて再生することができる画像音声記録システムを提供すること。【解決手段】カメラ１００によって画像ファイルが作成され、ＩＣレコーダ２００によって音声ファイルが作成される。カメラ１００とＩＣレコーダ２００とが通信可能に接続された際に、カメラ１００に記録された画像ファイルの選択がなされた場合にはＩＣレコーダ２００から分割音声データが送信される。そして、カメラ１００中の画像ファイルのヘッダ部に分割音声データとの対応付け情報が記録される。また、ＩＣレコーダ２００に記録された音声ファイルの選択がなされた場合にはカメラ１００から画像ファイルが送信される。そして、ＩＣレコーダ２００中の音声ファイルと画像ファイルとから動画コンテナファイルが作成される。【選択図】図１
2011188289.tif 000002
【特許請求の範囲】
【請求項１】
時間的に連続した音声データを複数に分割した分割音声データを有してなる音声ファイルを記録する音声取得部と、
画像データを有してなる画像ファイルを取得する画像取得部と、
上記音声ファイルと上記画像ファイルとを対応付けたコンテナファイルを作成するコンテナファイル作成部と、
上記画像ファイルに上記分割音声データとの対応付け情報を記録する分割音声対応付け部と、
を有することを特徴とする画像音声記録システム。
【請求項２】
上記音声取得部と上記画像取得部とは異なる携帯機器内に設けられており、
上記コンテナファイル作成部によるコンテナファイルの作成と上記分割音声対応付け部による対応付け情報の記録とは上記異なる携帯機器の双方が通信可能に接続された場合に行われることを特徴とする請求項１に記載の画像音声記録システム。
【請求項３】
上記画像データは静止画像データであり、
上記コンテナファイルの再生時には上記時間的に連続した音声データの再生に同期して上記静止画像データが再生され、
上記対応付け情報が記録された画像ファイルの再生時には上記静止画像データの再生に同期して上記分割音声データが再生されることを特徴とする請求項１に記載の画像音声記録システム。
【発明の詳細な説明】
【技術分野】
【０００１】
本発明は、画像及び音声を記録するための画像音声記録システムに関する。
【背景技術】
【０００２】
従来、画像データを取得するカメラと音声データを取得する外部装置（ＩＣレコーダ）とを連携させるための提案が各種なされている。例えば、特許文献１においては、音声データに画像データとの関連を識別するための識別情報を付加しておくことにより、カメラとＩＣレコーダとの連携動作によって得られる画像データと音声データの関連付けを行っている。
【先行技術文献】
【特許文献】
【０００３】
【特許文献１】特開２０００−３４７３２２号公報
【発明の概要】
【発明が解決しようとする課題】
【０００４】
ここで、特許文献１の提案は、画像データと音声データとの対応関係が分かるだけであって、画像データと音声データをどのように連携して再生するのかまでは余り考慮されていない。
本発明は、上記の事情に鑑みてなされたもので、画像データと音声データとを効果的に連携させて再生することができる画像音声記録システムを提供することを目的とする。
【課題を解決するための手段】
【０００５】
上記の目的を達成するために、本発明の一態様の画像音声記録装置は、時間的に連続した音声データを複数に分割した分割音声データを有してなる音声ファイルを記録する音声取得部と、画像データを有してなる画像ファイルを取得する画像取得部と、上記音声ファイルと上記画像ファイルとを対応付けたコンテナファイルを作成するコンテナファイル作成部と、上記画像ファイルに上記分割音声データとの対応付け情報を記録する分割音声対応付け部と、を有することを特徴とする。
【発明の効果】
【０００６】
本発明によれば、画像データと音声データとを効果的に連携させて再生することができる。
【図面の簡単な説明】
【０００７】
【図１】本発明の一実施形態に係る画像音声記録システムの構成を示す図。
【図２】本発明の一実施形態に係るＩＣレコーダに記録される音声ファイルのフォーマットを表す図。
【図３】本発明の一実施形態に係るカメラに記録される画像ファイルのフォーマットを表す図。
【図４】本発明の一実施形態における画像音声記録システムのカメラにおける制御について示すフローチャート。
【図５】本発明の一実施形態における画像音声記録システムのＩＣレコーダにおける制御について示すフローチャート。
【図６】本発明の一実施形態におけるカメラとＩＣレコーダの記録時及び再生時の各ファイルのフォーマットの関係を表す図。
【図７】カメラとＩＣレコーダの連携の例を示す図。
【発明を実施するための形態】
【０００８】
以下、図面を参照して本発明の実施形態を説明する。  
図１は、本発明の一実施形態に係る画像音声記録システムの構成を示す図である。図１に示す画像音声記録システムは、画像取得用携帯機器の一例としての撮像装置（カメラ）１００と、音声取得用音声記録装置（ＩＣレコーダ２００）とを有している。ここで、図１では、カメラ１００とＩＣレコーダ２００とを別体として示しているがカメラ１００内に音声の記録機能を持たせるようにした構成についても本実施形態の技術を適用できる。
【０００９】
図１に示すカメラ１００は、交換レンズ１１０と、本体１２０とを有している。交換レンズ１１０は本体１２０に対して分離可能になされている。ここで、図１ではカメラ１００がレンズ交換式カメラの場合を示している。しかしながら、カメラ１００は必ずしもレンズ交換式でなくとも良い。
【００１０】
交換レンズ１１０は、撮像レンズ１１１と、レンズ制御部１１２と、通信部１１３とを有している。撮像レンズ１１１は、図示しない被写体からの光束（画像情報）を本体１２０内部の撮像部１２１に入射させる。レンズ制御部１１２は、通信部１１３を介して本体１２０と通信可能になされている。このレンズ制御部１１２は、本体１２０からのレンズ制御信号に応じて例えばフォーカシング制御やズーミング制御といった撮像レンズ１１１のレンズ制御を行う。通信部１１３は、レンズ制御部１１２が本体１２０と通信するためのインターフェースである。
【００１１】
本体１２０は、撮像部１２１と、再生部１２２と、記録部１２３と、時計部１２４と、制御部１２５と、操作部１２６と、通信部１２７と、通信部１２８とを有している。撮像部１２１は、撮像レンズ１１１を介して入射した光束（画像情報）を光電変換することにより画像データを取得する。再生部１２２は、液晶ディスプレイ等の表示部とスピーカ等の音声再生部とを有し、撮像部１２１において得られた画像データに基づく画像等の各種の画像を表示したり、ＩＣレコーダ２００から送信された音声を再生する。記録部１２３は、例えばフラッシュメモリである。この記録部１２３には、撮像部１２１において得られ、制御部１２５において処理されて得られた画像ファイル等の各種のデータが記録される。時計部１２４は、撮影時刻（日時）等の各種の時刻を計時する。制御部１２５は、本体１２０の各ブロックの動作制御を行う。また、制御部１２５は、撮像部１２１において得られた画像データに対して圧縮処理等の各種の画像処理を施すことも行う。操作部１２６は、ユーザが本体１２０に対して各種の操作指示を与えるための各種の操作部材である。操作部１２６の操作を受けた場合に、制御部１２５は、操作部１２６の操作内容に応じた各種の処理を実行する。通信部１２７は、制御部１２５が交換レンズ１１０と通信するためのインターフェースである。通信部１２８は、制御部１２５がＩＣレコーダ２００と通信するためのインターフェースである。なお、撮像部１２１と制御部１２５とによって画像取得部の機能が実現される。また、制御部１２５によって分割音声対応付け部の機能が実現される。
【００１２】
ＩＣレコーダ２００は、音声収録部２０１と、記録部２０２と、時計部２０３と、再生部２０４と、制御部２０５と、操作部２０６と、通信部２０７とを有している。音声収録部２０１は、マイクロホン等を有して構成され、外部から入力された音声を電気信号に変換することにより音声データを取得する。記録部２０２は、例えばフラッシュメモリである。この記録部２０２には、音声収録部２０１において得られ、制御部２０５において処理されて得られた音声ファイル等の各種のデータが記録される。時計部２０３は、録音時刻（日時）等の各種の時刻を計時する。再生部２０４は、スピーカや表示部を有して構成され、記録部２０２に記録された音声ファイル等を音声に変換して再生したり、各種の画像を表示する。制御部２０５は、ＩＣレコーダ２００の各ブロックの動作制御を行う。また、制御部２０５は、音声収録部２０１において得られた音声データに対して圧縮処理等の処理を施すことも行う。操作部２０６は、ユーザがＩＣレコーダ２００に対して各種の操作指示を与えるための各種の操作部材である。操作部２０６を介した操作指示を受けた場合や通信部２０７を介した操作信号を受けた場合に、制御部２０５は、それらの操作指示に応じた各種の処理を実行する。通信部２０７は、制御部２０５が本体１２０と通信するためのインターフェースである。この通信部２０７と本体１２０の通信部１２８とを介してＩＣレコーダ２００と本体１２０とを通信可能とした状態で音声の記録を行うこともできる。なお、音声収録部２０１と制御部２０５とによって音声取得部の機能が実現される。また、制御部２０５によってコンテナファイル作成部の機能が実現される。
【００１３】
図２は本実施形態のＩＣレコーダ２００に記録される音声ファイルのフォーマットを表している。本実施形態では、図２に示すように、微小区分の複数の音声データ（分割音声データ）を含んでなる音声ファイルを記録する。このような音声ファイルは、ヘッダ部と音声データ部とを備えている。ヘッダ部には、録音時刻等に加えて、画像データとの関連を示すサムネイル情報が含まれている。音声データ部は、複数のトラックに分割されており、各々のトラックは微小時間の音声データ（分割音声データ）を格納している。ここで、各トラックへの分割条件、即ち各トラックの有している音声データの格納量は、ある一定の時間（秒）でも良いし、ある一定の記録容量（byte）でも良い。トラックの数が一定数（例えば１００等）になるようにしても良い。さらには、各トラックの格納量を変更できるようにしても良い。これらの分割条件は何れもＩＣレコーダ２００の操作部２０６により設定可能であり、或いは操作部２０６の操作が無い場合は固定の初期設定値に設定されるようにしても良い。また、カメラ１００とＩＣレコーダ２００とを接続した場合には、本体１２０の操作部１２６によって操作できるようにしても良い。なお、分割録音モードにおける分割条件はヘッダ部に記録される。このようにしておくことで、ヘッダ情報を読み取ることで各トラックが含むデータ格納量が判明する。
【００１４】
図３は、本実施形態のカメラ１００に記録される画像ファイルのフォーマットを表している。本実施形態における画像ファイルはヘッダ部と画像データ部とを備えている。そして、ヘッダ部には、画像データの取得開始時刻（撮影開始時刻）及び取得終了時刻（撮影終了時刻）に加えて、画像データ部に記録されている画像データが対応する１つ以上の分割音声データに関する対応音声情報が記録されている。この対応音声情報としては、例えば画像データが対応している分割音声データの先頭トラック、終了トラックを示す情報が考えられる。例えば、分割音声データが１〜１００トラック存在し、画像データに対応する分割音声データが５０〜６０トラックに存在する場合には、対応音声情報として「５０、６０」を記録しておく。この他、対応音声情報として、画像データが対応している分割音声データの開始時刻、終了時刻、再生時間を記録しておくようにしても良い。さらには、画像データが対応している分割音声データを１トラックずつ指定して対応音声情報として記録しておくようにしても良い。
【００１５】
図４を参照してカメラ１００の制御について説明する。ユーザによる操作部１２６の操作によりカメラ１００の動作モードが設定される。制御部１２５は、動作モードが撮影モードか否かを判定する（Ｓ１０１）。動作モードが撮影モードである場合、制御部１２５は、ユーザによる操作部１２６の操作により撮影開始指示がなされたか否かを判定する（Ｓ１０２）。撮影開始指示がない場合には処理がＳ１０８に移行する。撮影開始指示があった場合に、制御部１２５は、動画撮影を行うか静止画撮影を行うかを判定する（Ｓ１０３）。静止画撮影の場合に、制御部１２５は、撮像部１２１を動作させることで静止画像データを取得する静止画撮影を実行する（Ｓ１０４）。静止画撮影の終了後、処理がＳ１０７に移行する。また、動画撮影の場合に、制御部１２５は、撮像部１２１を連続動作させることで動画像データを取得する動画撮影を実行する（Ｓ１０５）。動画撮影中において、制御部１２５は、ユーザによる操作部１２６の操作により撮影終了指示がなされたか否かを判定する（Ｓ１０６）。撮影終了指示がなされていない場合には処理がＳ１０５に戻って動画撮影が継続される。撮影終了指示がなされた場合には、処理がＳ１０７に移行する。
【００１６】
静止画撮影又は動画撮影の終了後、制御部１２５は、図３で示すフォーマットに従った画像ファイルを作成し、作成した画像ファイルを記録部１２３に記録する（Ｓ１０７）。この場合、画像ファイルのヘッダ部には、例えば撮影開始時刻、撮影終了時刻の情報を記録する。そして、これらを後ほどＩＣレコーダ２００の録音情報と対応させる。ここで、静止画撮影の場合、撮影開始時刻と撮影終了時刻とがほぼ同時となる。このため、対応させる分割音声データの範囲をある一定期間確保しておかないと音声として意味をなさない可能性があるため、実際の撮影開始時刻にある一定の時間余裕を持たせた時間を真の撮影開始時刻とすることが望ましい。
【００１７】
画像ファイルの作成後、制御部１２５は、ユーザによる操作部１２６の操作により電源オフの指示がなされたか否かを判定する（Ｓ１０８）。電源オフの指示があれば制御部１２５は、カメラ制御を終了する。電源オフの指示が無ければ処理がＳ１０１に戻る。
【００１８】
また、カメラ１００の動作モードが撮影モードでない場合に、制御部１２５は、カメラ１００の動作モードが再生モードであるか否かを判定する（Ｓ１１１）。動作モードが再生モードでない場合には処理がＳ１０１に戻る。また、動作モードが再生モードである場合に、制御部１２５は、記録部１２３に記録された画像ファイルの一覧を再生部１２２に表示させる（Ｓ１１２）。一覧表示の後、制御部１２５は、ユーザによる操作部１２６の操作により画像ファイルの選択がなされたか否かを判定する（Ｓ１１３）。画像ファイルの選択がなされていない場合には処理がＳ１２３に移行する。画像ファイルの選択がなされた場合に、制御部１２５は、通信部１２８の通信状態から、ＩＣレコーダ２００が接続されているか否かを判定する（Ｓ１１４）。ＩＣレコーダ２００が接続されていない場合に、制御部１２５は、選択された画像ファイルを記録部１２３から読み出し、読み出した画像ファイルに基づく画像を再生部１２２によって再生する（Ｓ１１５）。この際、選択された画像データに対応付けられた分割音声データが記録部１２３に記録されている場合に、制御部１２５は、Ｓ１１５における画像の再生に同期して分割音声の再生も行う。
【００１９】
ＩＣレコーダ２００が接続されている場合に、制御部１２５は、Ｓ１１３において選択された画像ファイルに対応した分割音声データの送信をＩＣレコーダ２００に要求する（Ｓ１１６）。この際、制御部１２５は、ＩＣレコーダ２００に対して録音開始時刻、録音終了時刻、及び１トラック当たりの情報時間（若しくは総トラック数）の送信を要求する。そして、ＩＣレコーダ２００から送信された各情報と、選択された画像ファイルに対応した撮影開始時刻及び撮影終了時刻とを比較して、選択された画像ファイルに対応した分割音声データを同定する。その後、分割音声データの送信を要求する。分割音声データの送信要求後、制御部１２５は、分割音声データが受信されたか否かを判定する（Ｓ１１７）。対応した分割音声データが受信できなかった場合には処理がＳ１２３に移行する。また、対応した分割音声データが受信できた場合に、制御部１２５は、受信された分割音声データを記録部１２３に記録する（Ｓ１１８）。その後、制御部１２５は、選択された画像ファイルをＩＣレコーダ２００に送信する（Ｓ１１９）。さらに、制御部１２５は、選択された画像ファイル中の先頭の画像データ（静止画像ファイルの場合には選択された画像ファイル中の画像データそのもの）を縮小してサムネイル画像データを生成する（Ｓ１２０）。そして、制御部１２５は、サムネイル画像データをＩＣレコーダ２００に送信する（Ｓ１２１）。サムネイル画像データの送信後、制御部１２５は、受信された分割音声データに関する録音開始時刻、録音終了時刻、１トラック当たりの情報時間（若しくは総トラック数）といった情報を、選択された画像ファイルのヘッダ部に格納してヘッダ部の更新を行う（Ｓ１２２）。その後、処理がＳ１２３に移行する。
【００２０】
Ｓ１２３において、制御部１２５は、ユーザによる操作部１２６の操作により再生終了指示がなされたか否かを判定する（Ｓ１２３）。再生終了指示がなされていない場合には処理がＳ１１２に戻る。また、再生終了指示がなされた場合には処理がＳ１０８に移行する。
【００２１】
図５を参照してＩＣレコーダ２００の制御について説明する。ユーザによる操作部２０６の操作によりＩＣレコーダ２００の動作モードが設定される。制御部２０５は、動作モードが録音モードか否かを判定する（Ｓ２０１）。動作モードが録音モードである場合、制御部２０５は、通信部２０７の通信状態から、カメラ１００の本体１２０が接続されているか否かを判定する（Ｓ２０２）。本体１２０が接続されていない場合に、制御部２０５は、ユーザによる操作部２０６の操作により録音開始指示がなされたか否かを判定する（Ｓ２０３）。録音開始指示がない場合には処理がＳ２０８に移行する。録音開始指示があった場合に、制御部２０５は、音声収録部２０１を動作させて音声データを取得する録音を実行する（Ｓ２０４）。録音中において、制御部２０５は、ユーザによる操作部２０６の操作により録音終了指示がなされたか否かを判定する（Ｓ２０５）。録音終了指示がなされていない場合には処理がＳ２０４に戻って録音が継続される。録音終了指示がなされた場合には、処理がＳ２０７に移行する。また、本体１２０が接続されている場合に、制御部２０５は、カメラ１００と連携しての録音を実行する（Ｓ２０６）。この際、カメラ１００において動画撮影が行われる場合には例えば撮影開始指示と同時に録音を開始し、撮影終了指示と同時に録音を終了する。静止画撮影が行われる場合には、例えばカメラ１００の接続が検知された時点で録音を開始し、撮影終了指示と同時に録音を終了する。なお、連携録音中においては、音声信号の振幅や音声信号の周波数が略一定の場合に録音を継続してひとつの分割音声データと記録するようにしても良い。このようにすれば、ひとつながりの音声が途中で途切れてしまうようなことがない。
【００２２】
録音終了後、制御部２０５は、図２で示すフォーマットに従った音声ファイルを作成し、作成した音声ファイルを記録部２０２に記録する（Ｓ２０７）。ここで、音声ファイルのヘッダ部の領域には、例えば録音開始時刻、録音終了時刻、１トラック当たりの情報時間の情報を記録し、後ほどカメラ１００の画像ファイルと対応させる。ヘッダ部に、分割トラック数と１トラック当たりの容量の情報を記録しても良い。
【００２３】
音声ファイルの作成後、制御部２０５は、ユーザによる操作部２０６の操作により電源オフの指示がなされたか否かを判定する（Ｓ２０８）。電源オフの指示があれば制御部２０５は、レコーダ制御を終了する。電源オフの指示が無ければ処理がＳ２０１に戻る。
【００２４】
また、ＩＣレコーダ２００の動作モードが録音モードでない場合に、制御部２０５は、ＩＣレコーダ２００の動作モードが再生モードであるか否かを判定する（Ｓ２１１）。動作モードが再生モードでない場合には処理がＳ２０１に戻る。また、動作モードが再生モードである場合に、制御部２０５は、カメラ１００の本体１２０が接続されているか否かを判定する（Ｓ２１２）。本体１２０が接続されていない場合に、制御部２０５は、記録部２０２に記録された音声ファイルの一覧を再生部２０４に表示させる（Ｓ２１３）。一覧表示の後、制御部２０５は、ユーザによる操作部１２６の操作により音声ファイルの選択がなされたか否かを判定する（Ｓ２１４）。音声ファイルの選択がなされていない場合には処理がＳ２２４に移行する。音声ファイルの選択がなされた場合に、制御部２０５は選択された音声ファイルを記録部２０２から読み出し、読み出した音声ファイルに基づく音声を再生部２０４によって再生する（Ｓ２１５）。この際、選択された音声ファイルが画像ファイルを含むコンテナファイルとなっている場合に、制御部２０５は、音声ファイルの再生に同期して画像ファイルの再生も行う。選択された音声ファイルの再生後、処理がＳ２２４に移行する。また、本体１２０が接続されている場合に、制御部２０５は、カメラ１００からヘッダ部情報の送信要求がなされたか否かを判定する（Ｓ２１６）。ヘッダ部情報の送信要求がなされた場合に、制御部２０５は、記録部２０２に記録されている音声ファイルのヘッダ部に記録されている情報をカメラ１００に送信する（Ｓ２１７）。ここでは、例として、録音開始時刻、録音終了時刻、１トラック当たりの録音時間等の情報を送信するとする。その後、制御部２０５は、分割音声データの送信要求がなされたか否かを判定する（Ｓ２１８）。分割音声データの送信要求がなされていない場合には処理がＳ２２４に移行する。分割音声データの送信要求がなされた場合に、制御部２０５は、対応する分割音声データをカメラ１００に送信する（Ｓ２１９）。その後、制御部２０５は、カメラ１００から画像ファイルが受信されたか否かを判定する（Ｓ２２０）。画像ファイルが受信されていない場合に制御部２０５は、Ｓ２２０の判定を行いつつ待機する。画像ファイルが受信された場合に、選択された音声ファイルと受信された画像ファイルとを対応付ける（Ｓ２２１）。この対応付けは、音声ファイルと画像ファイルとを動画コンテナファイルの形式で記録し直すことで行う。詳細については後述する。動画コンテナファイルの作成後、制御部２０５は、カメラ１００からサムネイル画像データが受信されたか否かを判定する（Ｓ２２２）。サムネイル画像データが受信されていない場合に制御部２０５は、Ｓ２２２の判定を行いつつ待機する。サムネイル画像データが受信された場合に、制御部２０５は、動画コンテナファイル中の音声ファイルのヘッダ部に図２に示したようにしてサムネイル画像データを記録する（Ｓ２２３）。その後、処理がＳ２２４に移行する。
【００２５】
Ｓ２２４において、制御部２０５は、ユーザによる操作部２０６の操作により再生終了指示がなされたか否かを判定する（Ｓ２２４）。再生終了指示がなされていない場合には処理がＳ２１２に戻る。また、再生終了指示がなされた場合には処理がＳ２０８に移行する。
【００２６】
カメラ１００による静止画像の記録とＩＣレコーダ２００による音声の記録とが個別に行われた場合（Ｓ２０６の連携録音動作が行われなかった場合）には、ＩＣレコーダ２００には、図６（ａ）に示すように、時間的に連続した音声データを有する音声ファイルが記録される（実際の音声データとしては図２で示した分割音声データの単位で記録されている）。一方、カメラ１００には、時間的に不連続な１つ或いは複数の静止画像ファイルが記録される。ここで、カメラ１００とＩＣレコーダ２００とが接続された状態で、ＩＣレコーダ２００において音声ファイルの選択がなされた場合には、ＩＣレコーダ２００において音声ファイルと画像ファイルとの対応付け（動画コンテナファイルの作成）が行われる。図６（ｂ）に、ＩＣレコーダ２００における対応付けについて示す。この対応付けによって作成される動画コンテナファイルには、図６（ａ）に示すようにして時間的に連続して記録された音声ファイルと、カメラ１００から送信されてきた画像ファイルとを１つのファイルとして記録する。さらに、動画コンテナファイルには、音声データの再生中のどのタイミングで画像データを再生すべきかを示す再生指示信号も記録される。このタイミングは例えば画像の撮影終了時刻に一致させるものとする。動画コンテナファイルとなっている音声ファイルの再生時に、制御部２０５は、再生指示信号を読み取り、この再生指示信号によって指示されるタイミングで画像ファイルの再生を行う。
【００２７】
また、カメラ１００とＩＣレコーダ２００とが接続された状態で、カメラ１００において画像ファイルの選択がなされた場合には、カメラ１００において音声ファイルと画像ファイルとの対応付けが行われる。図６（ｃ）に、カメラ１００における対応付けについて示す。この場合には、ＩＣレコーダ２００から分割音声データと各分割音声データのヘッダ情報が送信される。この送信されたヘッダ情報中の分割音声データの録音開始時刻及び録音終了時刻を、各画像ファイルの撮影開始時刻及び撮影終了時刻と比較することでＩＣレコーダ２００から送信される分割音声データと画像ファイルとの対応付けを行う。画像ファイルの再生時に、制御部１２５は、当該再生する画像ファイルに対応している分割音声データがある場合には、その分割音声データも併せて再生を行う。
【００２８】
以上説明したように、本実施形態によれば、カメラ１００による画像取得とＩＣレコーダ２００による音声取得が個別に行われた場合であっても、カメラ１００とＩＣレコーダ２００の双方で画像と音声を連携させた効果的な再生を行うことができる。即ち、ＩＣレコーダ２００においてはカメラ１００から送信されてきた画像ファイルに従って動画コンテナファイルを作成して記録しておくことで、時間的に連続してなる音声データを有する音声ファイルの再生に同期して時間的に不連続な複数の（或いは１個の）画像ファイルの再生を行うことができる。一方、カメラ１００においてはＩＣレコーダ２００から送信されてきた分割音声データを画像ファイルと対応付けることで、特に、一瞬の時間で記録が行われる静止画像ファイルの再生に同期して必要な時間分のみの音声データの再生を行うことができる。また、音声ファイルにサムネイル画像データを記録しておくことで、例えば音声ファイルの選択時にサムネイル画像を表示させるようにすれば、音声ファイルと画像ファイルとの対応が分かり易い。
【００２９】
ここで、図７にＩＣレコーダとカメラの連係の実際について図示する。例えば、ＩＣレコーダ２００は図７（ａ）のような外観である。このＩＣレコーダ２００の上面（図７（ａ）の前面方向）には音声収録部としてのステレオマイク２０１ａが設けられている。また、ＩＣレコーダ２００の下面（図７（ａ）の背面方向）には通信部２０７の一例としてのＵＳＢ端子２０７ａが形成されている。このＵＳＢ端子２０７ａは通常は端子キャップ２０７ｂによって保護されている。また、カメラ１００には図７（ｂ）のようにしてアクセサリ３００を介してＩＣレコーダ２００と通信するための装着部１２８ａが設けられている。アクセサリ３００にはＵＳＢ端子３００ａが形成されており、このＵＳＢ端子３００ａとＩＣレコーダ２００のＵＳＢ端子２０７ａとを接続した状態で、アクセサリ３００をカメラ１００の装着部１２８ａに装着することで、カメラ１００とＩＣレコーダ２００とが通信自在に接続される。勿論、図７で示したものは一例であって、カメラ１００とＩＣレコーダ２００とが通信自在に接続可能な任意の形態を適用できる。
【００３０】
以上実施形態に基づいて本発明を説明したが、本発明は上述した実施形態に限定されるものではなく、本発明の要旨の範囲内で種々の変形や応用が可能なことは勿論である。ここで、本発明の要旨をまとめると特許請求の範囲に記載したものに加えて以下のようなものを含む。  
（１）  上記音声ファイルに上記画像データのサムネイル画像データが記録されることを特徴とする請求項１に記載の画像音声記録システム。
【符号の説明】
【００３１】
１００…撮像装置（カメラ）、１１０…交換レンズ、１１１…撮像レンズ、１１２…レンズ制御部、１１３…通信部、１２０…本体、１２１…撮像部、１２２…再生部、１２３…記録部、１２４…時計部、１２５…制御部、１２６…操作部、１２７,１２８…通信部、２００…ＩＣレコーダ、２０１…音声収録部、２０２…記録部、２０３…時計部、２０４…再生部、２０５…制御部、２０６…操作部、２０７…通信部
【図１】
2011188289.tif 000003
【図２】
2011188289.tif 000004
【図３】
2011188289.tif 000005
【図４】
2011188289.tif 000006
【図５】
2011188289.tif 000007
【図６】
2011188289.tif 000008
【図７】
2011188289.tif 000009